(57)【要約】【課題】  極めて簡単な構造により、ファイルへの書類入れホルダーを簡単容易に綴込み及び取外しできるようにし、ファイリング作業の大幅な短縮ができるファイル及び書類入れホルダーの提供を可能にする。【解決手段】  ファイルの背表紙１ｂの内面側に、複数の湾曲した折り返し面部３ａを形成してなる蛇腹状連結部３と、その中央部近傍３ｄを左右から押圧するように、蛇腹状連結部３に向かってやや傾斜した左右一対の略Ｌ字状体の連結保護部２とからなる連結具Ｘを設置し、この複数の湾曲した折り返し面部３ａによって形成された湾曲空間３ｃに、ホルダーＹの一方の側端縁に沿って形成された連結領域６の湾曲部６ａを差込むことにより、ホルダーＹを簡単容易にファイルに綴じこむことができる。【選択図】図３
2013244743.tif 000002
【特許請求の範囲】
【請求項１】
表表紙、背表紙及び裏表紙が順次連接され前記表表紙と前記裏表紙とが対向するように折曲可能な表紙体と、前記背表紙の内側面に設置された連結具とを具備し、前記連結具は、弾力性を有する可撓性シートを順次逆方向に折曲させ、複数の湾曲した折り返し面部を形成してなる蛇腹状連結部と、前記蛇腹状連結部を保護するとともに、その中央部近傍を左右から押圧するように、前記蛇腹状連結部に向かってやや傾斜した左右一対の略Ｌ字状体の連結保護部からなるとともに、前記略Ｌ字状体の底部及び前記蛇腹状連結部の折り返し面部の背表紙側頂部が、前記背表紙の内面側に接着されて構成されていることを特徴とするファイル。
【請求項２】
請求項１に記載のファイルにおいて、前記連結保護部を略コ字状体に形成するとともに、略コ字状体の内部に前記蛇腹状連結部を収納して、その折り返し面部の頂部を接着させて形成された前記連結具が、前記背表紙の内側面に接着されて構成されていることを特徴とするファイル。
【請求項３】
表裏一対のシートの上端側を開口部とするとともに、これらシートの一方の側端縁に沿って、請求項１の蛇腹状連結部の背表紙側における複数の隣り合う湾曲した折り返し面部により形成される湾曲した空間に対応して連結される湾曲形状を有する湾曲部と、これと連接する平坦部とを有する連結領域を備えたことを特徴とする袋状のホルダー。
【請求項４】
請求項３に記載のホルダーにおいて、前記開口部側の表裏どちらか一方のシートに円弧状の切り欠きを形成するとともに、前記連結領域に形成された湾曲部の上下両端部の先端が扁平状に形成されていることを特徴とする袋状のホルダー。
【発明の詳細な説明】
【技術分野】
【０００１】  本発明は、書類入れホルダーを簡単に綴込み及び取外しすることができるファイル及び書類入れホルダーに関する。
【背景技術】
【０００２】  従来この種のファイルとして、リング綴じ具を備えたファイルがあり、これに対応する書類入れホルダーとしては、その一縁側に設けた複数の綴じ穴に、ファイルのリング綴じ具のリングを挿入して綴じるようにしている。多穴タイプのものには、２６穴タイプや３０穴タイプのものが有り、このような多穴タイプのものは、書類入れホルダーをリング綴じ具に綴じ込んだ場合には確実に綴じられる利点はある。【０００３】  しかし、このような多穴タイプのファイル及び書類入れホルダーは、綴込み及び取外しの作業が大変面倒である。すなわち、リング綴じ具のレバーを操作してリングを開き、２６本又は３０本のリングの全てを逐一綴じ穴に挿入させて綴じる作業が必要になるために、その綴じ作業が非常に手間取ることになる。特に書類入れホルダーが非常に柔らかい材質であるとリングと綴じ穴の位置合わせが非常にしづらくなるし、綴じ穴が多数あるとどの綴じ穴にどのリングを綴じるのか判断するのに非常に困ることもある。【０００４】  そこで例えば、特許文献１には、透明又は半透明なプラスチックシートを二つ折りにし、折線に直交する二辺のうち一方を封鎖して、該一辺と前記折線とを除く部分を用紙類を出し入れ可能な開口部としたシートファイルであって、前記折線と平行する辺に一部が狭窄部として外方へ開通する綴込み用孔が形成されているファイルが開示されている（特許文献１の図５）。【０００５】  また特許文献２には、表紙の柱となる背柱部分が、伸縮可能なジャバラ状である扉式カバー表紙が開示されている（特許文献２の図１）。
【先行技術文献】
【特許文献】
【０００６】
【特許文献１】特開２００１−１２１８６７号公報
【特許文献２】実開平６−５９０６２号公報
【発明の概要】
【発明が解決しようとする課題】
【０００７】  しかし、特許文献１に開示された発明は、確かにそのシートファイルには一部が狭窄部として外部に開通する綴込用孔が形成されているので、綴具の開閉操作が要らず簡易構造にして抜き差しが可能となるが、何度も繰り返して抜き差し作業をしていると、狭窄部が傷んで拡がったり或いは欠けてしまい、充分な綴込み効果がなくなってしまうことになる。また、シートファイルに挟み込んだ用紙類の重みなどで綴込用孔が綴具から不意に外れてしまうこともないかもしれないが、シートファイルを捲るような動作をすると、シートファイルが湾曲してリングが狭窄部を通ってシートファイルが外れてしまい易く、シートファイルを捲るときは気を使いながら捲らないといけないという不便さがある。【０００８】  また、特許文献２に開示された発明は、確かに扉式カバー表紙の背柱部分に、ジャバラ状の部材を配置してなるものであるが、このジャバラ状の部材に、用紙ホルダーを接着剤等で取り着けて使用するもので、書類等をたくさん入れて用紙ファイルが嵩張ってきても、その増減に対応して表紙の厚みを変化させることができるというものである。したがって、ホルダーの簡単な綴込みや取外しを可能にしたいという問題点を解決することを提供することを目的としているものではない。
【課題を解決するための手段】
【０００９】  そこで、上記の問題点を解決するために、本願の請求項１に係る発明は、表表紙、背表紙及び裏表紙が順次連接され前記表表紙と前記裏表紙とが対向するように折曲可能な表紙体と、前記背表紙の内側面に設置された連結具とを具備し、前記連結具は、弾力性を有する可撓性シートを順次逆方向に折曲させ、複数の湾曲した折り返し面部を形成してなる蛇腹状連結部と、前記蛇腹状連結部を保護するとともに、その中央部近傍を左右から押圧するように、前記蛇腹状連結部に向かってやや傾斜した左右一対の略Ｌ字状体の連結保護部からなるとともに、前記略Ｌ字状体の底部及び前記蛇腹状連結部の折り返し面部の背表紙側頂部が、前記背表紙の内面側に接着されて構成されていることを特徴とする。【００１０】  また請求項２に係る発明は、前記連結保護部を略コ字状体に形成するとともに、略コ字状体の内部に前記蛇腹状連結部を収納して、その折り返し面部の頂部を接着させて形成された前記連結具が、前記背表紙の内側面に接着されて構成されていることを特徴とする。【００１１】  請求項３の発明は、表裏一対のシートの上端側を開口部とするとともに、これらシートの一方の側端縁に沿って、請求項１の蛇腹状連結部の背表紙側における複数の隣り合う湾曲した折り返し面部により形成される湾曲した空間に対応して連結される湾曲形状を有する湾曲部と、これと連接する平坦部を有する連結領域を備えたことを特徴とする。【００１２】  請求項４の発明は、前記開口部側の表裏どちらか一方のシートに円弧状の切り欠きを形成するとともに、前記連結領域に形成された湾曲部の上下両端部の先端が扁平状に形成されていることを特徴とする。
【発明の効果】
【００１３】  請求項１及び請求項２に記載のファイルによれば、従来のようなリングファイルのように、リング綴じ具のレバーを押してリングを開き、ホルダーに設けた綴じ穴をリングに通し、その後リングを閉じるというような操作が全く必要なくなるので、ファイリング作業が従来に比較して大幅に短縮することが可能となる。また、連結保護部が、蛇腹状連結部を押圧するように形成されているので、ホルダーが綴じ込まれたときには、蛇腹状連結部の湾曲した折り返し面部と、ホルダーの連結領域に形成された湾曲部とがしっかりと噛み合った状態になっており、ホルダーに収容する用紙が十数枚程度であれば、全く脱落することも無く、また多少振ったりする程度の日常的な作業における衝撃でも脱落する心配は無い。【００１４】  請求項３に記載のホルダーによれば、このホルダーの連結領域に形成された湾曲部を、請求項１及び請求項２の蛇腹状連結部の折り返し面部によって形成された湾曲した空間に単に差込む或いは引出すという一つの操作だけて綴込み或いは取外しが完了するので、従来の綴じ穴式のホルダーと比較して、その操作が極めて単純容易であり、ファイリングに要する時間を大幅に短縮することが可能となる。また綴じ穴に連通する狭窄部やスリットを有するホルダーのように、複数回の綴込み及び取外しの操作によって、綴じ穴に連通する狭窄部やスリットが傷んで拡がったり或いは欠けてしまい、充分な綴込み効果がなくなる心配も無い。さらに、ホルダーのシート部が柔らかい素材で形成されている場合であっても、従来のように、綴じ穴にリングを貫通することが非常にやりづらいということもなく、連結領域に形成された湾曲部が軸のような役割を果たしているので、シート部が柔らかい素材で形成されている場合であっても、この部分を持って湾曲した空間に差込んだり引き出すだけなので、従来のように綴込みや取外しの操作に格別の支障をきたすことが無い。さらに、綴じ込まれた各ホルダーの間には、蛇腹状連結部の折り返し面部が挟み込まれて間隙を形成しているので、ホルダー同士が互いに引っ付きにくくなり、ホルダーを捲る際に一辺に複数のホルダーを捲ってしまうようなことが少なくなる。【００１５】  請求項４に記載のホルダーによれば、連結領域に形成された湾曲部の上下両端部の先端が扁平状に形成されているので、差込む作業の際に、ファイルの蛇腹状連結部の折り返し面部によって形成された湾曲した空間にスムーズに挿入することができ、綴込み作業がより一層簡単にすることが出来る。また、開口部側の表裏どちらか一方のシートに円弧状の切り欠きが形成されているので、用紙の差込み及び取出しを簡単に行なうことができる。
【図面の簡単な説明】
【００１６】
【図１】本発明に係るファイルを示した展開図
【図２】図１のファイルの背表紙部分を上方から見た拡大図
【図３】ファイルの他の実施形態の背表紙部分を上方から見た拡大図
【図４】本発明に係るホルダーの斜視図
【図５】ホルダーの他の実施形態の斜視図
【発明を実施するための形態】
【００１７】  以下、本発明の好適な実施形態について、図面を参照にしながら説明する。
【００１８】  図１は、本発明に係るファイルを展開した状態を示すものである。１は厚紙や硬質のプラスチック等からなる表紙体であり、その中央部近傍には折込み線１ｄ，１ｄによって区分される背表紙１ｂと、この背表紙１ｂにそれぞれ連接する表表紙１ａ及び裏表紙１ｃが形成されている。背表紙１ｂの内側面には、連結具Ｘが背表紙１ｂの上端から下端の全体に沿って設置されている。但し、連結具Ｘのホルダーを狭持する力の加減によっては、必ずしも背表紙１ｂの内側面の全体に設置される必要は無い。この連結具Ｘは、図２及び図３に示すように、蛇腹状連結部３とこの蛇腹状連結３部を左右から挟みこむようにして設置されている略Ｌ字状体からなる連結保護部２から構成されている。蛇腹状連結部３は、弾力性のある可撓性シートからなるが、シート素材としては例えば軟質プラスチックや合成紙のような、可撓性及び弾力性を有する薄肉シートが好ましい。この可撓性シートを順次逆方向に折曲させて、複数の湾曲した折り返し面部３ａを形成してなるものである。また湾曲させることにより、湾曲した空間３ｃを形成している。
【００１９】  また、蛇腹状連結部３の折り返し面部３ａの背表紙側の頂部３ｂは、背表紙１ｂの内面側に接着されて設置されている。さらに、この蛇腹状連結部３を挟み込むようにして設置された左右の略Ｌ字状体からなる連結保護部２は、ある程度の弾力性と強度を持った硬質のプラスチック或いは金属からなり、略Ｌ字状体の底部２ａと側壁面２ｂとから構成されており、底部２ａは、背表紙１ｂの内面側に接着されて設置されており、側壁面２ｂは、蛇腹状連結部３に向かってやや傾斜しており、蛇腹状連結部３の中央部近傍３ｄを押圧するように形成されている。この中央部近傍３ｄの位置は、図４及び図５に示すホルダーＹが連結具Ｘに連結されている際に、ホルダーＹの一方の側端縁に形成された連結領域６の湾曲部６ａと平坦部６ｂの連接する部分が好ましい。これにより、蛇腹状連結部３が不必要に左右に拡大することを防止し、ホルダーＹに対する緊締力が低下することを防止するとともに、外部からの不要な圧力により、蛇腹状連結部３が潰れることから保護している。
【００２０】  図３は連結具Ｘの連結保護部４が略コ字状体からなることを示すものであり、上述同様に、ある程度の弾力性と強度を持った硬質のプラスチック或いは金属からなる。蛇腹状連結部３は、連結保護部４の内部に収納するように設置されており、蛇腹状連結部３の折り返し面部３ａの背表紙側の頂部３ｂは、この連結保護部４の内側面に接着されて設置されている。この連結保護部４は、略コ字状体の底部４ａと側壁面４ｂとから形成されており、底部４ａは、背表紙１ｂの内面側に接着されて設置されており、側壁面４ｂは、蛇腹状連結部３に向かってやや傾斜しており、蛇腹状連結部３の中央部近傍３ｄを押圧するように形成されている。
【００２１】  図４及び図５は、本発明に係る書類入れホルダーＹを示すものである。５は、用紙を収納するための袋状に形成されたシート部であり、６は、シート部５の一方の側端縁に沿って設けられたファイルとの連結をするための連結領域である。シート部５は、表裏一対のシート５ａ，５ｂからなっており、上端に開口された開口部８より、用紙の出し入れをするようになっている。９は、開口部８の表裏どちらか一方に形成された円弧状の切り欠き部である。この円弧状の切り欠き部９によって、開口部８から用紙の出し入れを簡単に行なうことができる。なお、ここでは図示しないが、不用意な脱落をしない程度の重量の範囲内であれば、シート部５は１枚に限らず複数枚連接されていてもよい。
【００２２】  シート部５の一方の側端縁に沿って設けられたファイルとの連結をするための連結領域６は、湾曲部６ａと平坦部６ｂとから構成されている。湾曲部６ａは、ファイルの蛇腹状連結部３の背表紙１ｂ側における複数の隣り合う湾曲した折り返し面部３ａによって形成される湾曲空間３ｃに連結されるように、その湾曲空間３ｃに対応する湾曲形状をしている。この湾曲部６ａはシートを折曲して形成した中空体であってもよいが、常に湾曲空間３ｃに対応する形状を保持できるような強度は必要である。また中実の軸体であってもよい。また平坦部６ｂは、折り返し面部３ａによってしっかり狭持されるように折り返し面部３ａに対向する位置に形成されている。７は、湾曲部６ａの上下両端部の先端を扁平状に形成した部分である。
【００２３】  この扁平部７により、例えばホルダーＹを折り返し面部３ａによって形成される湾曲空間３ｃの上方部から差込むときに、折り返し面部３ａの縁に接触することを防止して折り返し面部３ａの損傷を防ぎスムーズに挿入することができるようになる。こうして一旦綴じ込まれたホルダーＹは、上下方向に引出すようにして取外さない限り、日常の一般的な衝撃によっては、簡単に脱落することは無い。
【符号の説明】
【００２４】１  ファイルの表紙体
１ａ  表紙体の表表紙
１ｂ  表紙体の背表紙
１ｃ  表紙体の裏表紙
１ｄ  表紙体の折込み線
２  連結保護部
２ａ  略Ｌ字状体の底部
２ｂ  略Ｌ字状体の側壁面
３  蛇腹状連結部
３ａ  折り返し面部
３ｂ  折り返し面部の背表紙側の頂部
３ｃ  折り返し面部の背表紙側の湾曲空間
３ｄ  蛇腹状連結部の中央部近傍
４  連結保護部
４ａ  略コ字状体の底部
４ｂ  略コ字状体の側壁面
５  シート部
６  連結領域
６ａ  湾曲部
６ｂ  平坦部
７  扁平部
８  開口部
９  円弧状切り欠き部
Ｘ  連結具
Ｙ  ホルダー
【図１】
2013244743.tif 000003
【図２】
2013244743.tif 000004
【図３】
2013244743.tif 000005
【図４】
2013244743.tif 000006
【図５】
2013244743.tif 000007